(57)【要約】【課題】給電装置を局装置から遠隔制御できるようにする。【解決手段】通信事業者側の局装置からの映像信号を、Ｖ−ＯＮＵ１３０を介して取得するパワーインサータ１４０であって、局装置からの光データ信号を受信して、光データ信号を電気信号に変換することで、処理信号を生成する光電気変換部１６１と、処理信号から、Ｖ−ＯＮＵ１３０を制御するための制御信号を検出する回線終端処理部１６２と、Ｖ−ＯＮＵ１３０に供給する電力を生成する電力生成部１５２と、制御信号に従って、Ｖ−ＯＮＵ１３０への電力の供給を制御する給電制御部１５３とを備える。【選択図】図２
2018074279.tif 000002
【特許請求の範囲】
【請求項１】
通信事業者側の局装置からの映像信号を、映像用装置を介して取得する給電装置であって、
前記局装置からの光データ信号を受信して、当該光データ信号を電気信号に変換することで、処理信号を生成する光電気変換部と、
前記処理信号から、前記映像用装置を制御するための制御信号を検出する回線終端処理部と、
前記映像用装置に供給する電力を生成する電力生成部と、
前記制御信号に従って、前記映像用装置への電力の供給を制御する給電制御部と、を備えること
を特徴とする給電装置。
【請求項２】
前記給電制御部は、前記制御信号に従って、前記映像用装置への電力の供給及び供給停止を行うこと
を特徴とする請求項１に記載の給電装置。
【請求項３】
前記制御信号は、前記通信事業者が提供する映像視聴サービスに加入しているか否かを示し、
前記給電制御部は、前記通信事業者が提供する映像視聴サービスに加入していないことを前記制御信号が示す場合に、前記映像用装置への電力の供給を停止すること
を特徴とする請求項２に記載の給電装置。
【請求項４】
前記給電制御部は、前記通信事業者が提供する映像視聴サービスに加入していないことを示す前記制御信号が検出されるまで、前記映像用装置へ電力を供給すること
を特徴とする請求項３に記載の給電装置。
【請求項５】
前記電力生成部は、
前記映像用装置に供給する電力を生成する生成機能部と、
前記生成機能部で生成された電力の電流に異常があるか否かを判定する電流判定部と、
前記生成機能部で生成された電力の電圧に異常があるか否かを判定する電圧判定部と、を備え、
前記給電制御部は、前記電流及び前記電圧の少なくとも何れか一方に異常があると判定された場合には、前記映像用装置への電力の供給を停止すること
を特徴とする請求項２から４の何れか一項に記載の給電装置。
【請求項６】
前記電力生成部は、前記映像用装置に供給する電力として、第１の電力と、当該第１の電力よりも電圧の低い第２の電力とを生成し、
前記給電制御部は、前記制御信号に従って、前記第１の電力又は前記第２の電力を前記映像用装置へ供給すること
を特徴とする請求項１に記載の給電装置。
【請求項７】
前記第１の電力は、前記映像用装置が前記局装置からの光信号を処理するために必要とされる給電電圧範囲内の電圧であり、
前記第２の電力は、前記給電電圧範囲未満の電圧であること
を特徴とする請求項６に記載の給電装置。
【請求項８】
前記給電制御部は、前記制御信号に従って前記第１の電力を供給する場合に、前記第１の電力の電圧を用いて第１のパルス信号を生成し、前記制御信号に従って前記第２の電力を供給する場合に、前記第２の電力の電圧を用いて、前記第１のパルス信号とは異なる第２のパルス信号を生成すること
を特徴とする請求項６又は７に記載の給電装置。
【請求項９】
前記制御信号は、前記通信事業者が提供する映像視聴サービスに加入しているか否かを示し、
前記給電制御部は、前記通信事業者が提供する映像視聴サービスに加入していることを前記制御信号が示す場合に、前記第１の電力を前記映像用装置へ供給し、前記通信事業者が提供する映像視聴サービスに加入していないことを前記制御信号が示す場合に、前記第２の電力を前記映像用装置へ供給すること
を特徴とする請求項６から８の何れか一項に記載の給電装置。
【請求項１０】
通信事業者側の局装置からの光信号に含まれている光映像信号を受信して、当該光映像信号を電気信号に変換する映像用装置、及び、前記映像用装置が変換した電気信号に基づいて、映像信号を取得する給電装置を備える光通信システムであって、
前記給電装置は、
前記局装置からの光データ信号を受信して、当該光データ信号を電気信号に変換することで、処理信号を生成する光電気変換部と、
前記処理信号から、前記映像用装置を制御するための制御信号を検出する回線終端処理部と、
前記映像用装置に供給する電力として、第１の電力と、当該第１の電力よりも電圧の低い第２の電力とを生成する電力生成部と、
前記制御信号に従って、前記第１の電力又は前記第２の電力を前記映像用装置へ供給する給電制御部と、を備え、
前記映像用装置は、
前記光映像信号を電気信号に変換する信号処理部と、
前記給電装置から供給される電力の電圧値を検出する給電電圧検出部と、
表示部と、
前記電圧値が第２の電力を示す場合に、前記信号処理部に処理を停止させるとともに、前記表示部に処理が停止したことを示す表示を行わせる給電電圧監視部と、を備えること
を特徴とする光通信システム。
【請求項１１】
通信事業者側の局装置からの光信号に含まれている光映像信号を受信して、当該光映像信号を電気信号に変換する映像用装置、及び、前記映像用装置が変換した電気信号に基づいて、映像信号を取得する給電装置を備える光通信システムであって、
前記給電装置は、
前記局装置からの光データ信号を受信して、当該光データ信号を電気信号に変換することで、処理信号を生成する光電気変換部と、
前記処理信号から、前記映像用装置を制御するための制御信号を検出する回線終端処理部と、
前記映像用装置に供給する電力として、第１の電力と、当該第１の電力よりも電圧の低い第２の電力とを生成する電力生成部と、
前記制御信号に従って、前記第１の電力又は前記第２の電力を前記映像用装置へ供給するとともに、前記制御信号に従って前記第１の電力を供給する場合には、前記第１の電力の電圧を用いて第１のパルス信号を生成し、前記制御信号に従って前記第２の電力を供給する場合には、前記第２の電力の電圧を用いて、前記第１のパルス信号とは異なる第２のパルス信号を生成する給電制御部と、を備え、
前記映像用装置は、
前記光映像信号を電気信号に変換する信号処理部と、
前記給電装置から供給される電力の電圧値を検出する給電電圧検出部と、
表示部と、
前記電圧値により前記第２のパルス信号を検出した場合に、前記信号処理部に処理を停止させるとともに、前記表示部に処理が停止したことを示す表示を行わせる給電電圧監視部と、を備えること
を特徴とする光通信システム。
【発明の詳細な説明】
【技術分野】
【０００１】
本発明は、給電装置及び光通信システムに関し、特に、映像用装置に電力を供給する給電装置及び当該給電装置を備える光通信システムに関する。
【背景技術】
【０００２】
従来の同軸給電装置は、加入者宅内に設置され、加入者宅外に設置されている映像用装置に対して同軸ケーブル等の伝送媒体を介して給電を行っている（例えば、特許文献１参照）。このような構成では、局舎に設置される局装置からの信号は、映像用装置で受信され、同軸給電装置に転送される。このため、局装置が同軸給電装置を制御し、映像用装置への給電を停止するような遠隔操作を行うことはできなかった。
【先行技術文献】
【特許文献】
【０００３】
【特許文献１】特開２０１２−４９６８号公報
【発明の概要】
【発明が解決しようとする課題】
【０００４】
従来の同軸給電装置は、以上のように局装置の配信した信号を直接受信することができないため、局装置から映像用装置の給電を停止するような遠隔制御を行うことができない。このため、データ通信サービス又は映像配信サービスを解約したユーザに対して、映像用装置を撤去する以外にサービスを停止することができないという課題があった。
【０００５】
そこで、本発明は、給電装置を局装置から遠隔制御できるようにすることを目的とする。
【課題を解決するための手段】
【０００６】
本発明の一態様に係る給電装置は、通信事業者側の局装置からの映像信号を、映像用装置を介して取得する給電装置であって、前記局装置からの光データ信号を受信して、当該光データ信号を電気信号に変換することで、処理信号を生成する光電気変換部と、前記処理信号から、前記映像用装置を制御するための制御信号を検出する回線終端処理部と、前記映像用装置に供給する電力を生成する電力生成部と、前記制御信号に従って、前記映像用装置への電力の供給を制御する給電制御部と、を備えることを特徴とする。
【０００７】
本発明の第１の態様に係る光通信システムは、通信事業者側の局装置からの光信号に含まれている光映像信号を受信して、当該光映像信号を電気信号に変換する映像用装置、及び、前記映像用装置が変換した電気信号に基づいて、映像信号を取得する給電装置を備える光通信システムであって、前記給電装置は、前記局装置からの光データ信号を受信して、当該光データ信号を電気信号に変換することで、処理信号を生成する光電気変換部と、前記処理信号から、前記映像用装置を制御するための制御信号を検出する回線終端処理部と、前記映像用装置に供給する電力として、第１の電力と、当該第１の電力よりも電圧の低い第２の電力とを生成する電力生成部と、前記制御信号に従って、前記第１の電力又は前記第２の電力を前記映像用装置へ供給する給電制御部と、を備え、前記映像用装置は、前記光映像信号を電気信号に変換する信号処理部と、前記給電装置から供給される電力の電圧値を検出する給電電圧検出部と、表示部と、前記電圧値が第２の電力を示す場合に、前記信号処理部に処理を停止させるとともに、前記表示部に処理が停止したことを示す表示を行わせる給電電圧監視部と、を備えることを特徴とする。
【０００８】
本発明の第２の態様に係る光通信システムは、通信事業者側の局装置からの光信号に含まれている光映像信号を受信して、当該光映像信号を電気信号に変換する映像用装置、及び、前記映像用装置が変換した電気信号に基づいて、映像信号を取得する給電装置を備える光通信システムであって、前記給電装置は、前記局装置からの光データ信号を受信して、当該光データ信号を電気信号に変換することで、処理信号を生成する光電気変換部と、前記処理信号から、前記映像用装置を制御するための制御信号を検出する回線終端処理部と、前記映像用装置に供給する電力として、第１の電力と、当該第１の電力よりも電圧の低い第２の電力とを生成する電力生成部と、前記制御信号に従って、前記第１の電力又は前記第２の電力を前記映像用装置へ供給するとともに、前記制御信号に従って前記第１の電力を供給する場合には、前記第１の電力の電圧を用いて第１のパルス信号を生成し、前記制御信号に従って前記第２の電力を供給する場合には、前記第２の電力の電圧を用いて、前記第１のパルス信号とは異なる第２のパルス信号を生成する給電制御部と、を備え、前記映像用装置は、前記光映像信号を電気信号に変換する信号処理部と、前記給電装置から供給される電力の電圧値を検出する給電電圧検出部と、表示部と、前記電圧値により前記第２のパルス信号を検出した場合に、前記信号処理部に処理を停止させるとともに、前記表示部に処理が停止したことを示す表示を行わせる給電電圧監視部と、を備えることを特徴とする。
【発明の効果】
【０００９】
本発明の一態様によれば、局装置からの光信号から制御信号を検知することができるため、給電装置を局装置から遠隔制御することができる。
【図面の簡単な説明】
【００１０】
【図１】実施の形態１〜４に係る光通信システムの構成を概略的に示すブロック図である。
【図２】実施の形態１におけるパワーインサータの構成を概略的に示すブロック図である。
【図３】実施の形態１におけるパワーインサータの動作状態と、Ｖ−ＯＮＵへの給電動作との対応を示す表である。
【図４】実施の形態２におけるパワーインサータの構成を概略的に示すブロック図である。
【図５】実施の形態２における、過電流検出信号、電圧異常検出信号、給電制御信号及び故障信号の関係を示す表である。
【図６】実施の形態３におけるパワーインサータの構成を概略的に示すブロック図である。
【図７】実施の形態３及び４におけるＶ−ＯＮＵの構成を概略的に示すブロック図である。
【図８】実施の形態４におけるパワーインサータの構成を概略的に示すブロック図である。
【図９】（Ａ）及び（Ｂ）は、ハードウェア構成例を示す概略図である。
【発明を実施するための形態】
【００１１】
実施の形態１．
図１は、実施の形態１に係る光通信システム１００の構成を概略的に示すブロック図である。
図示するように、光通信システム１００は、通信事業者の局舎等に設置される局装置としてのＯＬＴ（Ｏｐｔｉｃａｌ  Ｌｉｎｅ  Ｔｅｒｍｉｎａｌ）１１０と、光合分波器１２０と、加入者側（ユーザ側）に設置される映像用装置であるＶ−ＯＮＵ（Ｖｉｄｅｏ  Ｏｐｔｉｃａｌ  Ｎｅｔｗｏｒｋ  Ｕｎｉｔ）１３０と、同軸給電装置としてのパワーインサータ１４０と、映像端末１７０と、データ端末１８０と、電源装置１９０とを備える。
【００１２】
ＯＬＴ１１０は、光ファイバケーブル及び光カプラ等からなる伝送媒体１０１を用いた加入者回線網（公衆回線網）において、通信事業者の局舎等に設置される局側の光終端装置である。ＯＬＴ１１０は、各加入者へ送信する光信号を合成して光回線に送出したり、光回線から受け取った信号を加入者毎の信号に分離したりする。
【００１３】
光合分波器１２０は、ＯＬＴ１１０と伝送媒体１０１で接続され、波長の異なる複数の光信号を合波する光合波器及び波長の異なる複数の光信号を波長毎に分波する光分波器として機能する。例えば、光合分波器１２０は、ＯＬＴ１１０から異なる波長で多重化された光映像信号と、制御信号を含む光データ信号とを含む光信号を受信する。そして、光合分波器１２０は、受信された光信号から光映像信号と光データ信号とを分離する。さらに、光合分波器１２０は、分離された光映像信号をＶ−ＯＮＵ１３０に送信し、分離された光データ信号をパワーインサータ１４０に送信する。また、光合分波器１２０は、Ｖ−ＯＮＵ１３０から受信する光データ信号をＯＬＴ１１０へ透過する。
ここで、光合分波器１２０は、ＷＤＭ（Ｗａｖｅｌｅｎｇｔｈ  Ｄｉｖｉｓｉｏｎ  Ｍｕｌｔｉｐｌｅｘｅｒｓ）カプラにより構成することができる。
なお、図１は、ＯＬＴ１１０は、１つの光合分波器１２０に接続されている例を示しているが、ＯＬＴ１１０に接続される光合分波器１２０は複数あってもよい。
【００１４】
Ｖ−ＯＮＵ１３０は、光映像信号を電気信号に変換し、復調処理を行なう装置であり、加入者宅ＨＭに設置される加入者側の光終端装置である。図１では、Ｖ−ＯＮＵ１３０は、光ファイバ１０２で光合分波器１２０と接続されており、光合分波器１２０から光映像信号を受信する。そして、Ｖ−ＯＮＵ１３０は、受信された光信号である光映像信号を電気信号に変換し、さらに変換後の電気信号を復調後に、復調信号を同軸ケーブル１０３にてパワーインサータ１４０に送信する。なお、この復調信号は、ＯＬＴ１１０からの映像信号が含まれる。
【００１５】
パワーインサータ１４０は、ＯＬＴ１１０からの映像信号を、Ｖ−ＯＮＵ１３０を介して取得するとともに、Ｖ−ＯＮＵ１３０に電力を供給する給電装置である。例えば、パワーインサータ１４０は、ＡＣアダプタ等の電源装置１９０から受電し、同軸ケーブル１０３に電力を重畳して、Ｖ−ＯＮＵ１３０に与える。また、パワーインサータ１４０は、Ｖ−ＯＮＵ１３０において光映像信号から変換された電気信号に基づいて、映像信号を取得し、取得された映像信号を、同軸ケーブル１０５を介して、テレビ等の映像端末１７０に送信する。さらに、パワーインサータ１４０は、光合分波器１２０と光ファイバ１０４で接続されており、光合分波器１２０から、光データ信号を受信する。そして、パワーインサータ１４０は、受信された光データ信号を電気信号に変換した処理信号から生成されたデータ信号を、伝送媒体１０６を介してデータ端末１８０に送信する。
【００１６】
映像端末１７０は、映像信号を処理する端末であり、同軸ケーブル１０５を用いてパワーインサータ１４０に接続されている。映像端末１７０は、例えば、テレビである。
【００１７】
データ端末１８０は、データ信号を処理する端末であり、ツイスト・ペアケーブル等の伝送媒体１０６を用いてパワーインサータ１４０に接続されている。データ端末１８０は、例えば、ＨＧＷ（Ｈｏｍｅ  Ｇａｔｅ  Ｗａｙ）装置、ＶｏＩＰ（Ｖｏｉｃｅ  ｏｖｅｒ  Ｉｎｔｅｒｎｅｔ  Ｐｒｏｔｏｃｏｌ）装置及びＰＣ（Ｐｅｒｓｏｎａｌ  Ｃｏｍｐｕｔｅｒ）等の端末である。実施の形態１では、データ端末１８０は、ＰＣであるものとする。
【００１８】
次に、実施の形態１に係る光通信システム１００において、データ信号が転送される動作について説明する。
ＯＬＴ１１０は、伝送媒体１０１を介して、光データ信号を含む光信号を光合分波器１２０に送信する。
光合分波器１２０は、光信号から制御信号を含む光データ信号を分離する。そして、光合分波器１２０は、分離された光データ信号を、光ファイバ１０４で接続されたパワーインサータ１４０へ送信する。
パワーインサータ１４０は、光データ信号を電気信号に変換することで処理信号を生成する。そして、パワーインサータ１４０は、処理信号を適正なフォーマットに変更することで、データ信号を生成し、そのデータ信号を伝送媒体１０６にてデータ端末１８０に送信する。
【００１９】
パワーインサータ１４０は、データ端末１８０から受信されたデータ信号についても同様に、適切なフォーマットに変更後に、光信号に変換することで光データ信号を生成して、その光データ信号を光合分波器１２０に送信する。
光合分波器１２０は、パワーインサータ１４０から受信した光データ信号を波長多重してＯＬＴ１１０へ送信する。
【００２０】
ＯＬＴ１１０とパワーインサータ１４０とは、ＩＥＥＥ８０２．３に規定のＭＰＣＰ(Ｍｕｌｔｉ  Ｐｏｉｎｔ  Ｃｏｎｔｒｏｌ  Ｐｒｏｔｏｃｏｌ)フレーム及びＯＡＭ（Ｏｐｅｒａｔｉｏｎｓ，  Ａｄｍｉｎｉｓｔｒａｔｉｏｎ，  Ｍａｉｎｔｅｎａｎｃｅ）フレームを用いて通信リンクの確立を行う。また、通信リンクの確立後に、ＯＬＴ１１０は、ＯＡＭフレーム等の制御信号を用いて、パワーインサータ１４０の監視及び制御を行う。
【００２１】
なお、実施の形態１では、光通信システム１００をＧＥ−ＰＯＮシステムをベースに説明するが、実施の形態１は、このようなシステムに限定されるものではない。
【００２２】
図２は、実施の形態１におけるパワーインサータ１４０の構成を概略的に示すブロック図である。
パワーインサータ１４０は、パワーインサータ機能部１５０と、回線終端機能部１６０とを備える。
【００２３】
パワーインサータ機能部１５０は、Ｖ−ＯＮＵ１３０から送信される復調信号を処理するとともに、Ｖ−ＯＮＵ１３０に供給する電力を制御する。
パワーインサータ機能部１５０は、フィルタ部１５１と、電力生成部１５２と、給電制御部１５３と、同軸コネクタ１５４、１５５とを備える。
【００２４】
フィルタ部１５１は、Ｖ−ＯＮＵ１３０から同軸ケーブル１０３にて受信する復調信号からＤＣ電圧成分を除去し信号成分のみを透過することで映像信号を生成し、同軸ケーブル１５５を介して、映像信号を映像端末１７０へ出力する。
なお、フィルタ部１５１は、Ｖ−ＯＮＵ１３０に備えられていてもよい。この場合、Ｖ−ＯＮＵ１３０は、ネットワーク装置として機能する。
【００２５】
また、フィルタ部１５１は、給電制御部１５３から与えられる電力を同軸コネクタ１５４から出力する信号に重畳することで、Ｖ−ＯＮＵ１３０に給電する。
【００２６】
電力生成部１５２は、電源装置１９０からＤＣ電力ＰＷ１（例えば、ＤＣ１２Ｖ）の入力を受けて、装置内にて必要な電力を生成する。また、電力生成部１５２は、Ｖ−ＯＮＵ１３０に供給する電力ＰＷ２を生成し、給電制御部１５３に与える。
給電制御部１５３は、回線終端機能部１６０から与えられる給電制御信号ＳＧ１に従い、フィルタ部１５１に供給する電力ＰＷ２を制御する。ここで、回線終端機能部１６０から与えられる給電制御信号ＳＧ１は、ＯＬＴ１１０からの制御信号に対応しているため、給電制御部１５３は、ＯＬＴ１１０からの制御信号に従って、Ｖ−ＯＮＵ１３０への電力の供給及び供給停止を行っていることになる。
【００２７】
回線終端機能部１６０は、光合分波器１２０から受信する光データ信号を処理する。
回線終端機能部１６０は、光電気変換部１６１と、回線終端処理部１６２と、ネットワークインタフェース部（ＮＩ／Ｆ部）１６３とを備える。
【００２８】
光電気変換部１６１は、光合分波器１２０から受信した光データ信号を電気信号に変換することで、処理信号を生成し、この処理信号を回線終端処理部１６２に与える。
また、光電気変換部１６１は、回線終端処理部１６２から電気信号で与えられる処理信号を光データ信号に変換して、この光データ信号を光合分波器１２０に出力する。
【００２９】
回線終端処理部１６２は、ＯＬＴ１１０との通信リンクを確立するために使用する制御信号と、パワーインサータ１４０及びＶ−ＯＮＵ１３０の監視又は制御のための制御信号との送受信処理を行う。例えば、回線終端処理部１６２は、光電気変換部１６１から与えられた処理信号から、必要な制御信号を検出して抽出し、残りを適当なフォーマットに変更することでデータ信号を生成する。そして、回線終端処理部１６２は、そのデータ信号をＮＩ／Ｆ部１６３に与える。また、ＮＩ／Ｆ部１６３から与えられたデータ信号に必要な制御信号を追加して、適当なフォーマットに変更することで処理信号を生成する。そして、回線終端処理部１６２は、その処理信号を光電気変換部１６１に与える。
また、回線終端処理部１６２は、ＯＬＴ１１０から配信される制御信号に基づいて、通信事業者が提供する映像配信サービスに加入しているか否かを示す加入状態情報を検出し、検出された加入状態情報に従って、給電制御部１５３に給電制御信号ＳＧ１を与える。例えば、回線終端処理部１６２は、通信事業者が提供する映像配信サービスに加入しているか否かを示す制御信号を検出し、その制御信号に基づいて、給電制御部１５３に給電制御信号ＳＧ１を与える。
【００３０】
ＮＩ／Ｆ部１６３は、回線終端処理部１６２から与えられるデータ信号を、伝送媒体１０６を介してデータ端末１８０に出力する。また、ＮＩ／Ｆ部１６３は、データ端末１８０から送信されたデータ信号も同様に伝送媒体１０６を介して受信し、そのデータ信号を回線終端処理部１６２に与える。
【００３１】
図３は、パワーインサータ１４０の動作状態と、Ｖ−ＯＮＵ１３０への給電動作との対応を示す表である。
パワーインサータ１４０の状態は、電源ＯＦＦ、電源ＯＮ、通信リンク未完了、通信リンク完了、認証未完了及び認証完了の６つの状態を備える。
映像配信サービスの加入状態は、ＯＬＴ１１０との通信リンクが確立後に、ＯＬＴ１１０から受信する映像配信サービスの加入状態情報により確定する。そのため、ＯＬＴ１１０との通信リンクが確立して、加入状態情報が受信されるまでは未確定の状態である。このため、実施の形態１では、パワーインサータ１４０は、電源ＯＮ後、加入状態情報が受信されるまでは、映像視聴サービスに「加入状態」として動作する。このため、給電制御部１５３は、回線終端処理部１６２からの給電制御信号が給電停止を示すまでは、Ｖ−ＯＮＵ１３０への電力の供給を行う。
【００３２】
映像配信サービスの加入状態であれば、回線終端処理部１６２は、給電制御信号ＳＧ１を「１」：給電として給電制御部１５３に与えることで、給電制御部１５３からＤＣ電力ＰＷ２が供給されて、Ｖ−ＯＮＵ１３０への給電が行われる。
一方、映像配信サービスが未加入状態になれば、回線終端処理部１６２は、給電制御信号ＳＧ１を「０」：給電停止として給電制御部１５３に与えることで、給電制御部１５３からのＤＣ電力ＰＷ２が０Ｖとなり、給電が停止する。
以上のような動作により、ＯＬＴ１１０から受信する映像配信サービスの加入状態情報が未加入を示す場合に、Ｖ−ＯＮＵ１３０への給電を停止することで、遠隔から映像の視聴を不可にすることができる。
【００３３】
また、保守等でＯＬＴ１１０からパワーインサータ１４０へのリセット制御実施時には、パワーインサータ１４０とＯＬＴ１１０との間の通信リンクが未完了の状態となる。このような状態でも、図３に示されているように、パワーインサータ１４０は、映像視聴サービスに「加入状態」として動作するため、映像端末１７０に出力する映像信号が停止することがなく、ユーザは視聴を継続することができる。
【００３４】
また、図３に示されている電源ＯＮ状態のように、給電制御部１５３は、回線終端処理部１６２から信号が入力されない場合の初期値を、給電状態としている。このため、回線終端機能部１６０を構成する光電気変換部１６１及び回線終端処理部１６２を取り外し可能な構成とし、回線終端処理部１６２が取り外されている場合でも、給電制御部１５３は、Ｖ−ＯＮＵ１３０に給電を行うことができる。従って、このような場合でも、映像端末１７０に出力する映像信号が停止することなく、ユーザは視聴を継続することができる。
【００３５】
実施の形態２．
実施の形態１では、ＯＬＴ１１０からＯＡＭフレームにて映像視聴サービスの加入状態を回線終端処理部１６２が検出する。回線終端処理部１６２は、映像視聴サービスの加入状態が未加入であれば、給電制御信号ＳＧ１にて給電停止を給電制御部１５３へ指示する。そのような指示を受けて、給電制御部１５３は、電力生成部１５２から入力するＤＣ電力ＰＷ２のフィルタ部１５１への出力を停止する。フィルタ部１５１は、給電制御部１５３から入力するＤＣ電力ＰＷ２の電圧を、Ｖ−ＯＮＵ１３０と接続する同軸ケーブル１０３の同軸コネクタ１５４に印加しないことで、Ｖ−ＯＮＵ１３０への給電を停止する。
実施の形態２では、給電を停止する条件として、ＯＡＭフレームにて受信する映像視聴サービスの加入状態に、故障状態を加えることで、実施の形態１と同様の効果が得られる。
【００３６】
図１に示されているように、実施の形態２に係る光通信システム２００は、ＯＬＴ１１０と、光合分波器１２０と、Ｖ−ＯＮＵ１３０と、パワーインサータ２４０と、映像端末１７０と、データ端末１８０と、電源装置１９０とを備える。
実施の形態２に係る光通信システム２００は、パワーインサータ２４０を除いて、実施の形態１に係る光通信システム１００と同様に構成されている。
【００３７】
図４は、実施の形態２におけるパワーインサータ２４０の構成を概略的に示すブロック図である。
パワーインサータ２４０は、パワーインサータ機能部２５０と、回線終端機能部２６０とを備える。
【００３８】
パワーインサータ機能部２５０は、Ｖ−ＯＮＵ１３０から送信される復調信号を処理するとともに、Ｖ−ＯＮＵ１３０に供給する電力を制御する。
パワーインサータ機能部２５０は、フィルタ部１５１と、電力生成部２５２と、給電制御部２５３と、同軸コネクタ１５４、１５５とを備える。
実施の形態２におけるパワーインサータ機能部２５０は、電力生成部２５２及び給電制御部２５３を除いて、実施の形態１におけるパワーインサータ機能部１５０と同様に構成されている。
【００３９】
電力生成部２５２は、電源装置１９０からＤＣ電力ＰＷ１の入力を受けて、装置内にて必要な電力を生成する。
実施の形態２における電力生成部２５２は、生成機能部２５２ａと、電流判定部２５２ｂと、電圧判定部２５２ｃとを備える。
【００４０】
生成機能部２５２ａは、Ｖ−ＯＮＵ１３０に供給する電力ＰＷ２を生成し、給電制御部２５３に与える
電流判定部２５２ｂは、生成機能部２５２ａから供給される電力ＰＷ２の電流を監視して、その電流に異常があるか否かを判定する。例えば、電流判定部２５２ｂは、電力ＰＷ２の電流値が予め定められた閾値電流値以上である場合には、給電制御部２５３に警報信号（過電流検出信号ＳＧ２）を与えることで、過電流の検出を通知する。
電圧判定部２５２ｃは、生成機能部２５２ａから供給される電力ＰＷ２の電圧を監視して、その電圧に異常があるか否かを判定する。例えば、電圧判定部２５２ｃは、電力ＰＷ２の電圧値が予め定められた閾値電圧値以上である場合には、給電制御部２５３に警報信号（電圧異常検出信号ＳＧ３）を与えることで、電圧異常の検出を通知する。
【００４１】
給電制御部２５３は、フィルタ部１５１に供給する電力ＰＷ２を制御する。
実施の形態２における給電制御部２５３は、警報処理部２５３ａと、電力供給部２５３ｂとを備える。
警報処理部２５３ａは、電流判定部２５２ｂからの過電流検出信号ＳＧ２、電圧判定部２５２ｃからの電圧異常検出信号ＳＧ３、並びに、回線終端機能部２６０からの給電制御信号ＳＧ１及び故障信号ＳＧ４に基づいて、Ｖ−ＯＮＵ１３０に給電を行うか否かを判定し、その判定結果を示す給電判定信号ＳＧ５を電力供給部２５３ｂに与える。
【００４２】
電力供給部２５３ｂは、警報処理部２５３ａからの給電判定信号ＳＧ５に応じて、フィルタ部１５１に与える電力ＰＷ２の供給及び停止を行う。例えば、電力供給部２５３ｂは、給電判定信号ＳＧ５が電力を供給することを示す場合には、フィルタ部１５１に電力ＰＷ２を供給し、給電判定信号ＳＧ５が電力の供給を停止することを示す場合には、フィルタ部１５１に供給する電力ＰＷ２を停止する。
【００４３】
回線終端機能部２６０は、光合分波器１２０から受信する光データ信号を処理する。
回線終端機能部２６０は、光電気変換部１６１と、回線終端処理部２６２と、ＮＩ／Ｆ部１６３とを備える。
実施の形態２における回線終端機能部２６０は、回線終端処理部２６２を除いて、実施の形態１における回線終端機能部１６０と同様に構成されている。
【００４４】
回線終端処理部２６２は、実施の形態１の回線終端処理部１６２と同様の処理を行うほか、自身の故障を検出した際に、故障信号ＳＧ４を警報処理部２５３ａに与える。例えば、回線終端処理部２６２は、回線終端処理部２６２を構成するＬＳＩ（Ｌａｒｇｅ−Ｓｃａｌｅ  Ｉｎｔｅｇｒａｔｅｄ  ｃｉｒｃｕｉｔ）及びメモリ等の回路、並びに、Ｓ／Ｗ等の故障を検出した場合に、故障信号ＳＧ４を警報処理部２５３ａに与える。具体的には、ＬＳＩに接続された外部メモリが故障した場合に、ＬＳＩが外部メモリアクセスエラーにてメモリの故障を検出することで、回線終端処理部２６２は、故障を検出することができる。また、ＬＳＩの内部に存在するメモリも同様に、メモリアクセスエラーを検出することで、回線終端処理部２６２は、故障を検出することができる。
【００４５】
図５は、実施の形態２における、過電流検出信号ＳＧ２、電圧異常検出信号ＳＧ３、給電制御信号ＳＧ１及び故障信号ＳＧ４の関係を示す表である。
図５に示されているように、実施の形態２においては、給電制御信号ＳＧ１が、給電「１」を示す場合であっても、過電流検出信号ＳＧ２が過電流の検出を示すとき、及び、電圧異常検出信号ＳＧ３が電圧異常の検出を示すときには、Ｖ−ＯＮＵ１３０への給電が停止される。
一方、給電制御信号ＳＧ１が、給電「１」を示す場合には、故障信号ＳＧ４が回線終端処理部１６２の故障を示しても、Ｖ−ＯＮＵ１３０への給電が行われる。
【００４６】
以上のように、実施の形態２によれば、遠隔から映像信号の出力を停止できる効果に加えて、装置故障を自律的に検出して、Ｖ−ＯＮＵ１３０への給電を停止することができるため、装置の故障時に安全性を確保した製品を提供することができる。
【００４７】
実施の形態３．
実施の形態１では、ＯＬＴ１１０からＯＡＭフレームにて映像視聴サービスの加入状態を回線終端処理部１６２が検出する。回線終端処理部１６２は、映像視聴サービスの加入状態が未加入であれば、給電制御信号ＳＧ１にて給電停止を給電制御部１５３へ指示する。そのような指示を受けて、給電制御部１５３は、電力生成部１５２から入力するＤＣ電力ＰＷ２のフィルタ部１５１への出力を停止する。
実施の形態３では、Ｖ−ＯＮＵに供給する電力の電圧を変化させることにより、Ｖ−ＯＮＵでの処理を制御する。
【００４８】
図１に示されているように、実施の形態３に係る光通信システム３００は、ＯＬＴ１１０と、光合分波器１２０と、Ｖ−ＯＮＵ３３０と、パワーインサータ３４０と、映像端末１７０と、データ端末１８０と、電源装置１９０とを備える。
実施の形態３に係る光通信システム３００は、Ｖ−ＯＮＵ３３０及びパワーインサータ３４０を除いて、実施の形態１に係る光通信システム１００と同様に構成されている。
【００４９】
図６は、実施の形態３におけるパワーインサータ３４０の構成を概略的に示すブロック図である。
パワーインサータ３４０は、パワーインサータ機能部３５０と、回線終端機能部１６０とを備える。
実施の形態３におけるパワーインサータ３４０は、パワーインサータ機能部３５０を除いて、実施の形態１におけるパワーインサータ１４０と同様に構成されている。
【００５０】
パワーインサータ機能部３５０は、Ｖ−ＯＮＵ３３０から送信される復調信号を処理するとともに、Ｖ−ＯＮＵ３３０に供給する電力を制御する。
パワーインサータ機能部３５０は、フィルタ部１５１と、電力生成部３５２と、給電制御部３５３と、同軸コネクタ１５４、１５５とを備える。
実施の形態３におけるパワーインサータ機能部３５０は、電力生成部３５２及び給電制御部３５３を除いて、実施の形態１におけるパワーインサータ機能部１５０と同様に構成されている。
【００５１】
電力生成部３５２は、電源装置１９０からＤＣ電力ＰＷ１の入力を受けて、装置内にて必要な電力を生成する。
実施の形態３における電力生成部３５２は、第１電力生成部３５２ｄと、第２電力生成部３５２ｅとを備える。
【００５２】
第１電力生成部３５２ｄは、Ｖ−ＯＮＵ３３０の給電電圧範囲（例えば、ＤＣ１２Ｖ±１０％）の電圧のＤＣ電力ＰＷ３（第１の電力）を生成し、そのＤＣ電力ＰＷ３を給電制御部３５３に与える。ここで、Ｖ−ＯＮＵ３３０の給電電圧範囲の電圧は、Ｖ−ＯＮＵ３３０がＯＬＴ１１０からの光信号を処理するために必要な電圧である。
第２電力生成部３５２ｅは、Ｖ−ＯＮＵ３３０の給電電圧下限値未満、且つ、Ｖ−ＯＮＵ３３０の動作下限電圧以上の動作電圧（例えば、ＤＣ５Ｖ）のＤＣ電力ＰＷ４（第２の電力）を生成し、そのＤＣ電力ＰＷ４を給電制御部３５３に与える。ここで、Ｖ−ＯＮＵ３３０の動作下限電圧は、Ｖ−ＯＮＵ３３０が光信号の処理は行わない電圧、又は、リセット動作等により信号処理を停止する動作が可能である電圧である。さらに、Ｖ−ＯＮＵ３３０の動作下限電圧は、処理が停止したことを示す表示を行うために必要な電圧でもある。
【００５３】
給電制御部３５３は、フィルタ部１５１に供給するＤＣ電力ＰＷ３、ＰＷ４を制御する。
実施の形態３における給電制御部３５３は、切換部３５３ｃを備える。
切換部３５３ｃは、回線終端処理部１６２からの給電制御信号ＳＧ１に応じて、第１電力生成部３５２ｄから与えられるＤＣ電力ＰＷ３及び第２電力生成部３５２ｅから与えられるＤＣ電力ＰＷ４の間で、フィルタ部１５１に与える電力を切り換える。例えば、切換部３５３ｃは、給電制御信号ＳＧ１が給電「１」を示す場合には、ＤＣ電力ＰＷ３を出力し、給電制御信号ＳＧ１が給電停止「０」を示す場合には、ＤＣ電力ＰＷ４を出力する。
【００５４】
図７は、Ｖ−ＯＮＵ３３０の構成を概略的に示すブロック図である。
Ｖ−ＯＮＵ３３０は、信号処理部３３１と、同軸コネクタ３３２と、給電電圧検出部３３３と、給電電圧監視部３３４と、表示部３３５とを備える。
【００５５】
信号処理部３３１は、光合分波器１２０からの光映像信号を電気信号に変換し、さらに変換後の電気信号を復調することで、復調信号を生成する。そして、信号処理部３３１は、生成された復調信号を同軸コネクタ３３２から、同軸ケーブル１０３にてパワーインサータ１４０に送信する。
【００５６】
同軸コネクタ３３２は、同軸ケーブル１０３を介して信号の送受信を行うとともに、パワーインサータ３４０から電力の供給を受ける。
給電電圧検出部３３３は、同軸コネクタ３３２に入力された電力の電圧値を検出する。
給電電圧監視部３３４は、給電電圧検出部３３３で検出された電圧値を監視する。例えば、給電電圧監視部３３４は、検出された電圧値が、Ｖ−ＯＮＵ３３０の給電電圧範囲であるか、又は、Ｖ−ＯＮＵ３３０の給電電圧下限値未満、且つ、Ｖ−ＯＮＵ３３０の動作下限電圧以上の動作電圧であるかを判断する。そして、給電電圧監視部３３４は、検出された電圧値が、Ｖ−ＯＮＵ３３０の給電電圧下限値未満、且つ、Ｖ−ＯＮＵ３３０の動作下限電圧以上の動作電圧である場合には、信号処理部３３１に処理を停止させるとともに、表示部３３５に、映像停止状態であることを表示させる。一方、給電電圧監視部３３４は、検出された電圧値がＶ−ＯＮＵ３３０の給電電圧範囲である場合には、信号処理部３３１に処理を行わせるとともに、表示部３３５に、映像出力状態であることを表示させる。
【００５７】
表示部３３５は、映像停止状態であることを表示する。例えば、表示部３３５は、ＬＥＤ（Ｌｉｇｈｔ  Ｅｍｉｔｔｉｎｇ  Ｄｉｏｄｅ）により構成することができ、このＬＥＤが点灯している場合には、映像停止状態であるとすることができる。なお、ＬＥＤが消灯している場合には、映像出力状態であるとする。
【００５８】
以上のように、実施の形態３によれば、遠隔から映像信号の出力を停止できる効果に加えて、Ｖ−ＯＮＵ３３０が映像停止状態であることをＬＥＤ等にて保守者が認識できるため、保守性が向上する。
【００５９】
実施の形態４．
実施の形態１では、ＯＬＴ１１０からＯＡＭフレームにて映像視聴サービスの加入状態を回線終端処理部１６２が検出する。回線終端処理部１６２は、映像視聴サービスの加入状態が未加入であれば、給電制御信号ＳＧ１にて給電停止を給電制御部１５３へ指示する。そのような指示を受けて、給電制御部１５３は、電力生成部１５２から入力するＤＣ電力ＰＷ２のフィルタ部１５１への出力を停止する。
実施の形態４では、Ｖ−ＯＮＵに供給する電力の電圧を用いてパルス信号を生成することにより、Ｖ−ＯＮＵでの処理を制御する。
【００６０】
図１に示されているように、実施の形態４に係る光通信システム４００は、ＯＬＴ１１０と、光合分波器１２０と、Ｖ−ＯＮＵ４３０と、パワーインサータ４４０と、映像端末１７０と、データ端末１８０と、電源装置１９０とを備える。
実施の形態４に係る光通信システム４００は、Ｖ−ＯＮＵ４３０及びパワーインサータ４４０を除いて、実施の形態１に係る光通信システム１００と同様に構成されている。
【００６１】
図８は、実施の形態４におけるパワーインサータ４４０の構成を概略的に示すブロック図である。
パワーインサータ４４０は、パワーインサータ機能部４５０と、回線終端機能部１６０とを備える。
実施の形態４におけるパワーインサータ４４０は、パワーインサータ機能部４５０を除いて、実施の形態１におけるパワーインサータ１４０と同様に構成されている。
【００６２】
パワーインサータ機能部４５０は、Ｖ−ＯＮＵ４３０から送信される復調信号を処理するとともに、Ｖ−ＯＮＵ４３０に供給する電力を制御する。
パワーインサータ機能部４５０は、フィルタ部１５１と、電力生成部４５２と、給電制御部４５３と、同軸コネクタ１５４、１５５とを備える。
実施の形態４におけるパワーインサータ機能部４５０は、電力生成部４５２及び給電制御部４５３を除いて、実施の形態１におけるパワーインサータ機能部１５０と同様に構成されている。
【００６３】
電力生成部４５２は、電源装置１９０からＤＣ電力ＰＷ１の入力を受けて、装置内にて必要な電力を生成する。
実施の形態４における電力生成部４５２は、第１電力生成部４５２ｄと、第２電力生成部４５２ｅとを備える。
【００６４】
第１電力生成部４５２ｄは、Ｖ−ＯＮＵ４３０の給電電圧範囲（例えば、ＤＣ１２Ｖ±１０％）の電圧のＤＣ電力ＰＷ３（第１の電力）を生成し、そのＤＣ電力ＰＷ３を給電制御部４５３に与える。
第２電力生成部４５２ｅは、Ｖ−ＯＮＵ４３０の給電電圧下限値未満、且つ、Ｖ−ＯＮＵ４３０の動作下限電圧以上の動作電圧（例えば、ＤＣ５Ｖ）のＤＣ電力ＰＷ４（第２の電力）を生成し、そのＤＣ電力ＰＷ４を給電制御部４５３に与える。
【００６５】
給電制御部４５３は、フィルタ部１５１に供給するＤＣ電力ＰＷ５を制御する。
実施の形態４における給電制御部４５３は、パルス生成部４５３ｄを備える。
パルス生成部４５３ｄは、回線終端処理部１６２からの給電制御信号ＳＧ１に応じて、第１電力生成部４５２ｄから与えられるＤＣ電力ＰＷ３及び第２電力生成部４５２ｅから与えられるＤＣ電力ＰＷ４の間で、フィルタ部１５１に与える電力を切り換えるとともに、回線終端処理部１６２からの給電制御信号ＳＧ１に応じて、フィルタ部１５１に与える電力の電圧を用いて、パルス信号を生成する。例えば、パルス生成部４５３ｄは、給電制御信号ＳＧ１が給電「１」を示す場合には、ＤＣ電力ＰＷ３をＤＣ電力ＰＷ５として出力するとともに、その電圧を用いて、給電を示す「０１１０００１１」のパルス信号（第１のパルス信号）を生成する。一方、パルス生成部４５３ｄは、給電制御信号ＳＧ１が給電停止「０」を示す場合には、ＤＣ電力ＰＷ４をＤＣ電力ＰＷ５として出力するとともに、その電圧を用いて、給電停止を示す「０１１１００１１」のパルス信号（第２のパルス信号）を生成する。
【００６６】
図７に示されているように、実施の形態４におけるＶ−ＯＮＵ４３０は、信号処理部３３１と、同軸コネクタ３３２と、給電電圧検出部３３３と、給電電圧監視部４３４と、表示部３３５とを備える。
実施の形態４におけるＶ−ＯＮＵ４３０は、給電電圧監視部４３４を除いて、実施の形態３におけるＶ−ＯＮＵ３３０と同様に構成されている。
【００６７】
給電電圧監視部４３４は、給電電圧検出部３３３で検出された電圧値を監視する。例えば、給電電圧監視部４３４は、検出された電圧値により給電を示す「０１１０００１１」のパルス信号、又は、給電停止を示す「０１１１００１１」のパルス信号が検出されるか否かを判断する。
そして、給電停止を示すパルス信号が検出された場合には、給電電圧監視部４３４は、信号処理部３３１に処理を停止させるとともに、表示部３３５に、映像停止状態であることを表示させる。一方、給電を示すパルス信号が検出された場合には、給電電圧監視部４３４は、信号処理部３３１に処理を行わせるとともに、表示部３３５に、映像出力状態であることを表示させる。
【００６８】
実施の形態４でも、例えば、表示部３３５は、ＬＥＤにより構成することができ、このＬＥＤが点灯している場合には、映像停止状態であり、このＬＥＤが消灯している場合には、映像出力状態であるとすることができる。
【００６９】
実施の形態４によれば、遠隔から映像信号の出力を停止できる効果に加えて、遠隔から映像信号の出力を再開することができる。
【００７０】
以上に記載されたパワーインサータ１４０、２４０、３４０、４４０のフィルタ部１５１、給電制御部１５３、２５３、３５３、４５３、及び、回線終端処理部１６２、２６２、並びに、Ｖ−ＯＮＵ３３０、４３０の信号処理部３３１、給電電圧検出部３３３、及び、給電電圧監視部３３４、４３４の一部又は全部は、例えば、図９（Ａ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路１０で構成することができる。
【００７１】
また、パワーインサータ１４０、２４０、３４０、４４０のフィルタ部１５１、給電制御部１５３、２５３、３５３、４５３、及び、回線終端処理部１６２、２６２、並びに、Ｖ−ＯＮＵ３３０、４３０の信号処理部３３１、給電電圧検出部３３３、及び、給電電圧監視部３３４、４３４の一部又は全部は、例えば、図９（Ｂ）に示されているように、メモリ１１と、メモリ１１に格納されているプログラムを実行するＣＰＵ（Ｃｅｎｔｒａｌ  Ｐｒｏｃｅｓｓｉｎｇ  Ｕｎｉｔ）等のプロセッサ１２とにより構成することができる。このようなプログラムは、ネットワークを通じて提供されてもよく、また、記録媒体に記録されて提供されてもよい。
【符号の説明】
【００７２】
１００，２００，３００，４００  光通信システム、  １１０  ＯＬＴ、  １２０  光合分波器、  １３０，３３０，４３０  Ｖ−ＯＮＵ、  ３３１  信号処理部、  ３３２  同軸コネクタ、  ３３３  給電電圧検出部、  ３３４，４３４  給電電圧監視部、  ３３５  表示部、  １４０，２４０，３４０，４４０  パワーインサータ、  １５０，２５０，３５０，４５０  パワーインサータ機能部、  １５１  フィルタ部、  １５２，２５２，３５２，４５２  電力生成部、  ２５２ａ  生成機能部、  ２５２ｂ  電流判定部、  ２５２ｃ  電圧判定部、  ３５２ｄ，４５２ｄ  第１電力生成部、  ３５２ｅ，４５２ｅ  第２電力生成部、  １５３，２５３，３５３，４５３  給電制御部、  ２５３ａ  警報処理部、  ２５３ｂ  電力供給部、  ３５３ｃ  切換部、  ４５３ｄ  パルス生成部、  １５４，１５５  同軸コネクタ、  １６０，２６０  回線終端機能部、  １６１  光電気変換部、  １６２，２６２  回線終端処理部、  １６３  ＮＩ／Ｆ部、  １７０  映像端末、  １８０  データ端末、  １９０  電源装置。
【図１】
2018074279.tif 000003
【図２】
2018074279.tif 000004
【図３】
2018074279.tif 000005
【図４】
2018074279.tif 000006
【図５】
2018074279.tif 000007
【図６】
2018074279.tif 000008
【図７】
2018074279.tif 000009
【図８】
2018074279.tif 000010
【図９】
2018074279.tif 000011